(57)【要約】      （修正有）【課題】中高層のマンション、ホテル等の排水縦管の排水落下音を防ぎ、配管工事が複雑になることを避ける、排水と排気の機能を複合する排水用縦管の提供。【解決手段】第１に複雑な配管構造である排水用縦管と排気管を合体して一本の複合排水用縦管としてまとめ上げ、且、全長にわたる両者間の連絡用通路５により完全な通気が可能となり落下する排水の流れは乱されることなく降下することが出来る。第２に排水用縦管１４よりまとまった量で排水用縦管部２内に流入し、落下する排水の塊の勢を落下排水受７により吸収しながら、縦配水管の内周壁方向に移動させ、そしてその内周壁に沿って、減速して流下させる。第３に排水用縦管自体の防音性能を上げるため、排水用縦管２と薄肉の外装管１８の間に空間を残し、その空間に骨材又は線材で補強したモルタル１９等を充填して一体化し、三層構造の排水用縦管を形成する。【選択図】  図１
2006328920.tif 000002
【特許請求の範囲】
【請求項１】
排水用縦管と排気用縦管とを合体して一本の複合排水用縦管としてまとめ上げ、排水用縦管部２と排気用縦管部３の両空間を連絡用通路５により全長にわたり連絡しうるようにし、排水用縦管部２内の排水が落下するとき、その前方に発生する空気圧を円滑に排気用縦管部３に逃すようにした一体形複合排水用縦管１の構造。
【請求項２】
一体形複合排水用縦管１の排水用縦管部２の内に多数の傘形の落下排水受７をつけた長い吊下用鎖８をその縦管部２の頂点より吊下げ、その排水受７により落下する排水の勢を吸収しながら、排水を排水用縦管部２の内壁面に移動させ、それに沿って流下させるようにした一体形複合排水用縦管１の構造。
【請求項３】
口径の大きい排水用縦管部２１の内に網目又は多数の貫通孔２３を設けた排気用縦管２２を取付けて、これにより排水用縦管部２１の排気を行いうるようにした二重管式複合排水用縦管２０の構造。
【請求項４】
二重管式複合排水用縦管２０内に設置した排気用縦管２２の外周に多数の環状の落下排水受２５を取付け、これにより落下する排水の衝撃を吸収しながら排水を排水用縦管２１の内壁に移動させ、それに沿って流下させるようにした二重管式複合排水用縦管２０の構造。
【請求項５】
一体形複合排水用縦管１又は二重管式複合排水用縦管２０の外周に空間を残し、薄肉の外装管１８又は３０をかぶせ、この空間に骨材又は線材で補強したモルタル等１９又は３１を充填して一体化することにより得られる三層構造の防音管壁。
【請求項６】
排水末端に近い低層階の排水用縦管部２、排水用横管１４及び排水溝１６に発生する洗剤等に起因する泡を抑制するため、排水用縦管部２及び排気用縦管部３の頂部より冷水又は消泡剤を含んだ水等をまく散水弁１１を設けた複合排水用縦管の構造。
【発明の詳細な説明】
【技術分野】
【０００１】  本発明は中高層のマンション、ホテル、病院及びオフィスビルの排水システムとして広く利用できるものである。
【背景技術】
【０００２】  中高層のマンション、ホテル等の建物の生活用水の排水は各階層毎に集めて排水用縦管に送りこむ。この大量の排水が一度に流れるとその前方に存在する排水縦管中の空気圧が瞬間的に高くなる。従って排水の流下が妨げられ、スムースな流下が出来なくなり、落水は散乱して管の振動音や衝撃音が発生する。このため排水用縦管と排気用縦管を組合わせた複式配管が用いられるが、この排気の連絡個所の数は限られており、この複式配管だけでは振動音や衝撃音を完全に消すことは難しい。
そして又、落下の影響により階下の排水用横管に負圧を生じ、排水は逆流し、臭気の遮断にも支障をきたすことがある。【０００３】  そしてこの従来の複式配管では排気のための連絡工事は各階層毎に行い、且、排水用横管より縦管への排水の流入を防ぐ対策をとる必要があり、狭い配管用空間での複雑な工事となる。【０００４】  又、洗剤を含む生活排水のため低層階の排水用縦管に泡が累積し排水が閉塞されることも起る。【０００５】  以上のように、排水用縦管には未解決の問題点が多く、これらを解決するためにはシステムとして排水管全般を考えなおす必要がある。
【発明の開示】
【発明が解決しようとする課題】
【０００６】  本発明は従来の排水管システムの問題点を解決するために次の４項目の課題を取上げる。【０００７】  第１に複雑は配管構造である排水用縦管と排気管を合体して一本の複合排水用縦管としてまとめ上げ、且、全長にわたる両者間の連絡通路により完全な通気が可能となり落下する排水の流れは乱されることなく降下することが出来る。
又、一本の複合排水用縦管としてまとめ上げているため、配管工事は容易であり、配管用空間も節約できる。【０００８】  第２に排水用横管によりまとまった量で排水用縦管内に流入し、落下する排水の塊の勢を落下排水受により吸収しながら、縦排水用管の内周壁方向に移動させ、そしてその内周壁に沿って、減速して流下させる。【０００９】  第３に排水用縦管自体の防音性能を上げるため、排水用縦管と薄肉の外装管の間に空間を残し、その空間に骨材又は線材で補強したモルタル等を充填して一体化し、三層構造の排水用縦管を形成する。【００１０】  第４に低層階附近の排水用縦管部、排気用縦管部、排水用横管及び排水用溝に充満する泡を抑制するため排水用縦管部及び排気用縦管部の頂部より冷水又は消泡剤を含んだ水を散水しうる装置を取付ける。
【課題を解決するための手段】
【００１１】  図１及び図２に示すとおり排水用縦管と排気用縦管とを合体して一本の複合排水用縦管としてまとめ上げ、排水用縦管部２と排気用縦管部３の両空間を連絡用通路５により全長にわたり連絡しうるようにし、排水用縦管部２内の排水が落下するとき、その前方に発生する空気圧を円滑に排気用縦管部３に逃すようにした一体形複合排水用縦管１の構造。【００１２】  図１及び図２に示すとおり一体形複合排水用縦管１の排水用縦管部２の内に多数の傘型の落下排水受７をつけた長い吊下用鎖８をその縦管部２の頂点より吊下げ、その排水受７により落下する排水の勢を吸収しながら、排水を排水用縦管部２の内壁面に移動させ、それに沿って流下させるようにした一体形複合排水用縦管１の構造。【００１３】  図６及び図７に示すとおり口径の大きい排水用縦管部２１の内に網目又は多数の貫通孔２３を設けた排気用縦管２２を取付けて、これにより排水用縦管部２１の排気を行いうるようにした二重管式複合排水用縦管２０の構造。【００１４】  図６及び図７に示すとおり二重管式複合排水用縦管部２０内に設置した排気用縦管２２の外周に多数の環状の落下排水受２５を取付け、これにより落下する排水の衝撃を吸収しながら排水を排水用縦管２２の内壁に移動させ、それに沿って流下させるようにした二重管式複合排水用縦管２０の構造。【００１５】  図４、図５又は図６、図７に示すとおり一体形複合排水用縦管１又は二重管式複合排水用縦管２０の外周に空間を残し薄肉の外装管１８又は３０をかぶせ、この空間に骨材又は線材で補強したモルタル等を１９又は３１を充填して一体化することにより得られる三層構造の防音管壁。【００１６】  排水末端に近い低層階の排水用縦管部２、排水用横管１４及び排水溝１６に発生する洗剤等に起因する泡を抑制するため、排水用縦管部２及び排気用縦管部３の頂部より冷水又は消泡剤を含んだ水等をまく散水弁１１を設けた複合排水用縦管の構造。
【発明の実施をするための最良の形態】
【００１７】  本発明は排水用縦管のシステム全般を見なおさねばならないが、先づ図１及び図２に示したとおり排水用縦管と排気用縦管とを合体して一体形複合排水用縦管１としてまとめ上げ、そしてこれら排水用縦管部２と排気用縦管部３の両空間は全長にわたり隔壁４に設けられた連絡用通路５により通じている。従って排水用縦管部２内に落下する排水の下の空気はどの位置からでも連絡用通路５を通って円滑に排気用縦管部３へ逃がすことが出来る。
【００１８】  この一体形複合排水用縦管１は建物の最上階より地下の排水溝１６まで専用のＴ形継手１２により多数本連結されている。各階層の排水用横管１４はこのＴ形継手１２に接続され、ここから各階の排水は排水用縦管部２に流入し落下する。このときこの横よりの流入排水の一部が排気用縦管部３に飛び込むことを防止するため、Ｔ形継手１２内の隔壁１３には連絡用通路を設けていない。又、このＴ形継手１２のすぐ下に連結される複合排水用縦管１の最上部だけ、連絡用通路閉鎖部品６を取付け、横よりの排水の流入を防ぐことが必要である。
【００１９】  一体形複合排水縦管１の排水用縦管部２の内に多数の傘型の落下排水受７をつけた長い吊下用鎖８をその複合排水用縦管１の頂部蓋１０の吊下金具９より排水の末端まで、配管の全長にわたり吊下げる。落下排水受７は図１、図２又は図４、図５に示すように直径０．５ｍｍ〜２．０ｍｍのプラスチック細棒を傘形に積層、束ねたもの、又はプラスチックの薄板を重ねて放射状に切り溝をいれたものであって、柔軟性を持たせ、排水の中に含まれる固形物によっては、撓んでその落下をさまたげない様にしている。そして落下する排水をその束の中に吸いこんで、排水の勢を減速しながら排水を傘の周辺に向い放射状に移動させて排水用縦管部２の内壁との間をそれに沿って流下させることにより落下音を押えることが出来る。
【００２０】  次ぎに図６及び図７に示すとおり口径の大きい二重管式複合排水用縦管２０の内に網目又は多数の通気用貫通孔２３を設けた排気用縦管２２を取付けて、これにより排水用縦管部２１の排気を行うようにしたものである。
この二重管式複合排水用縦管２０は建物の最上階より地下の排水溝まで専用のＴ形継手２６により多数本連結される。そして各階層の排水用横管２９はこのＴ形継手２６に接続され、ここから各階の排水は排水用縦管部２１に流入し落下する。
【００２１】  排気用縦管２２は二重管式複合排水用縦管２０の一本毎に予め取付けておいてもよいが、図６及び図７ではすべての排水用縦管部２１を階上より階下まで配管取付けした後に、長尺の柔軟性ある一本の排気用縦管２２を階上から階下まで複合排水用縦管２０の頂上より送り込み、頂部蓋２７の吊下金具２４により複合排水用縦管２０のほぼ中央に吊り下げてもよい。このとき予め排気用縦管２２の外周に環状の落下排水受２５を取付けておく。
【００２２】  環状形落下排水受２５は図６及び図７に示すとおり、直径０．５ｍｍ〜２．０ｍｍのプラスチック細棒を環状形に放射線状に並べて束ねたもの、又は周辺が僅かに傾斜した環状形のプラスチック板を撓みやすくするため放射状に切り溝をいれたものであって、排水の中に含まれる固形物によっては、撓んでその落下をさまたげないようにしている。
そして落下する排水をその束の中に吸いこんで排水の勢を吸収しながら、排水を周辺に移動させ、排水用縦管部２１の内壁に沿って流下させることにより落下音を押えることが出来る。
【００２３】  次ぎに図４及び図５は一体形複合排水用縦管１の管壁の防音の構造に改良したものを示す。
この一体形複合排水用縦管１の製造方法は色々考えられるが塩化ビニル樹脂等を押出成型する方法を採用するのが適切である。このとき比較的薄肉に容易に成型出来る。この外周に空間を残して薄肉の外装管１８をかぶせ、この空間に小石等の骨材又は短い鉄線等の線材、或いは比較的小口径の長尺の棒鋼で補強したモルタル等１９を充填して、三者を合体した三層構造の排水用縦管を形成できる。
【００２４】  図６及び図７に示すとほり二重管式複合排水用縦管２０を防音型に改良する方法は上記の一体形複合排水用縦管１と同様に外装管３０をかぶせ、その隙間に充填モルタル３１を流して三層構造の管壁を形成する。
【００２５】  図１は一体形複合排水用縦管１の最下端の構造を示している。最下端は排水溝１６又は横引き用排水ベンド継手に接続される。この近辺は洗剤を含む排水のため泡が充満し、排水を閉塞することが起る。このときは複合排水用縦管１の頂部にある頂部蓋１０に散水弁１１を設け冷水又は消泡剤を含んだ水等を管内に散水し消去する。
【００２６】  又、排水用縦管部２の最下端には吊下用鎖８及び傘形落下排水受７を点検、又は取り出ししうる様、鎖用点検窓１５が必要であり、又排水溝１６にも点検口１７を設ける必要がある。
【産業上の利用可能性】
【００２７】  中高層のマンション、ホテル、病院等の排水音の抑制は安住のため大きな課題である。本発明によるこれの改善は建物の価値を増加する程の大きな効果を上げることが出来る。そして建設面より見ると配管のコストを下げ、配管に要する空間も節約出来る経済効果も大きい。
【図面の簡単な説明】
【００２８】
【図１】本発明の実施形態の第１実施例としての一体形複合排水用縦管の縦断面図
【図２】図１のＡ−Ａ断面図
【図３】図１のＢ−Ｂ断面図
【図４】同上一体形複合排水用縦管を防音にした三層構造管の縦断面図
【図５】図４のＣ−Ｃ断面図
【図６】本発明の実施形態の第２実施例としての二重管式複合排水用縦管の縦断面図
【図７】図６のＤ−Ｄ断面図
【符号の説明】
【００２９】  １・・・・一体形複合排水用縦管      ２・・・・同左の排水用縦管部
３・・・・同上の排気用縦管部        ４・・・・同左の隔壁
５・・・・隔壁に設けた連絡用通路    ６・・・・連絡用通路の閉塞部品
７・・・・傘形の落下排水受          ８・・・・同左用の吊下用鎖
９・・・・同上用の吊下金具        １０・・・・一体形複合排水用縦管の頂部蓋
１１・・・・散水弁
１２・・・・一体形複合排水用縦管のＴ形継手
１３・・・・同上の隔壁              １４・・・・排水用横管
１５・・・・鎖用点検窓              １６・・・・排水溝
１７・・・・排水口点検口
１８・・・・一体形複合排水用縦管の外装管
１９・・・・充填モルタル
２０・・・・二重管式複合排水用縦管  ２１・・・・同左の排水用縦管部
２２・・・・同上の排気用縦管        ２３・・・・同左の通気用貫通孔
２４・・・・同上の吊下金具          ２５・・・・環状の落下排水受
２６・・・・二重管式複合排水用縦管用のＴ形継手
２７・・・・頂部蓋                  ２８・・・・散水弁
２９・・・・排水用横管
３０・・・・二重管式複合排水用縦管の外装管
３１・・・・充填モルタル
【図１】
2006328920.tif 000003
【図２】
2006328920.tif 000004
【図３】
2006328920.tif 000005
【図４】
2006328920.tif 000006
【図５】
2006328920.tif 000007
【図６】
2006328920.tif 000008
【図７】
2006328920.tif 000009
【手続補正書】
【提出日】平成17年10月11日(2005.10.11)
【手続補正１】
【補正対象書類名】明細書
【補正対象項目名】００２３
【補正方法】変更
【補正の内容】
【００２３】  次ぎに図４及び図５は一体形複合排水用縦管１の管壁を防音の構造に改良したものを示す。
この一体形複合排水用縦管１の製造方法は色々考えられる。塩化ビニル樹脂等を押出して成型する方法以外に、この一体形複合排水用縦管１の内周と同じ瓢箪形に薄い金属板を折り曲げ加工して、接合して、長尺の筒を製作し、これを排水用縦管にしてもよい。このようにして出来た排水用縦管１の外周に空間を残して薄肉の外装管１８をかぶせ、この空間に小石等の骨材又は短い鉄線等の線材、或いは比較的小口径の長尺の棒鋼で補強したモルタル等１９を充填して、三者を合体した三層構造の排水用縦管を形成できる。